(57)【要約】【課題】本発明は、ステータコアの絶縁構造及びステータの組付方法に係り、互いに周方向に隣接する絶縁部材同士の合わせ面近傍での絶縁性を確保することにある。【解決手段】環状に形成されるヨークと、該ヨークから径方向に向けて突出する複数のティースと、を有する、周方向に複数の分割コアに分割されるステータコアの絶縁構造は、周方向に隣接する２つのティースの間に形成されるスロットの径方向の最奥部に、絶縁部材が径方向に重なる部位を設ける。絶縁部材は、分割コアごとに設けられる。また、周方向に隣接する絶縁部材同士は、径方向に重なる。【選択図】図５
2014187856.tif 000002
【特許請求の範囲】
【請求項１】
環状に形成されるヨークと、該ヨークから径方向に向けて突出する複数のティースと、を有する、周方向に複数の分割コアに分割されるステータコアの絶縁構造であって、
周方向に隣接する２つの前記ティースの間に形成されるスロットの径方向の最奥部に、絶縁部材が径方向に重なる部位を設けたことを特徴とするステータコアの絶縁構造。
【請求項２】
前記絶縁部材が前記分割コアごとに設けられ、周方向に隣接する前記絶縁部材同士が径方向に重なることを特徴とする請求項１記載のステータコアの絶縁構造。
【請求項３】
すべての前記絶縁部材はそれぞれ、前記スロットの径方向の最奥部に対応する部位に設けられる、周方向一方側に向けて該分割コアの周方向端まで延びる第１の周方向延出部と、周方向他方側に向けて該分割コアの周方向端を超えて延びる第２の周方向延出部と、を有すると共に、
各絶縁部材はそれぞれ、前記第１の周方向延出部が周方向一方側に隣接する前記絶縁部材の前記第２の周方向延出部と径方向に重なり、かつ、前記第２の周方向延出部が周方向他方側に隣接する前記絶縁部材の前記第１の周方向延出部と径方向に重なるように配置されることを特徴とする請求項２記載のステータコアの絶縁構造。
【請求項４】
前記絶縁部材は、前記スロットの径方向の最奥部に対応する部位に設けられる、周方向両側それぞれに向けて該分割コアの周方向端まで延びる第１の周方向延出部を有する第１の絶縁部材と、前記スロットの径方向の最奥部に対応する部位に設けられる、周方向両側それぞれに向けて該分割コアの周方向端を超えて延びる第２の周方向延出部を有する第２の絶縁部材と、の何れかであり、
前記第１の絶縁部材と前記第２の絶縁部材とは、周方向に交互に配置されると共に、
前記絶縁部材は、互いに周方向に隣接する、前記第１の絶縁部材の前記第１の周方向延出部と前記第２の絶縁部材の前記第２の周方向延出部とが径方向に重なるように配置されることを特徴とする請求項２記載のステータコアの絶縁構造。
【請求項５】
互いに周方向に隣接する前記絶縁部材同士は、一方の前記絶縁部材の前記第２の周方向延出部が他方の前記絶縁部材の前記第１の周方向延出部よりも前記スロットの径方向の最奥部のコア表面に対して径方向遠方側に位置するように配置されることを特徴とする請求項３又は４記載のステータコアの絶縁構造。
【請求項６】
各分割コアはそれぞれ、２つの前記ティースを含む形状を有することを特徴とする請求項１乃至５の何れか一項記載のステータコアの絶縁構造。
【請求項７】
前記絶縁部材は、薄膜成形された樹脂製部材であることを特徴とする請求項１乃至６の何れか一項記載のステータコアの絶縁構造。
【請求項８】
環状に形成されるヨークと、該ヨークから径方向に向けて突出する複数のティースと、を有する、周方向に複数の分割コアに分割されるステータコアと、前記分割コアごとに設けられる、ステータコイルに対する前記ステータコアの絶縁性を確保する絶縁部材と、を備えるステータの組付方法であって、
すべての前記絶縁部材はそれぞれ、周方向に隣接する２つの前記ティースの間に形成されるスロットの径方向の最奥部に対応する部位に設けられる、周方向一方側に向けて該分割コアの周方向端まで延びる第１の周方向延出部と、周方向他方側に向けて該分割コアの周方向端を超えて延びる第２の周方向延出部と、を有し、
各絶縁部材はそれぞれ、前記第１の周方向延出部が周方向一方側に隣接する前記絶縁部材の前記第２の周方向延出部と径方向に重なり、かつ、前記第２の周方向延出部が周方向他方側に隣接する前記絶縁部材の前記第１の周方向延出部と径方向に重なるように配置されると共に、
互いに周方向に隣接する前記絶縁部材同士を、一方の前記絶縁部材の前記第２の周方向延出部が他方の前記絶縁部材の前記第１の周方向延出部よりも前記スロットの径方向の最奥部のコア表面に対して径方向遠方側に位置するように組み付けることを特徴とするステータの組付方法。
【請求項９】
すべての前記絶縁部材を同時に組み付けることを特徴とする請求項８記載のステータの組付方法。
【請求項１０】
環状に形成されるヨークと、該ヨークから径方向に向けて突出する複数のティースと、を有する、周方向に複数の分割コアに分割されるステータコアと、前記分割コアごとに設けられる、ステータコイルに対する前記ステータコアの絶縁性を確保する絶縁部材と、を備えるステータの組付方法であって、
前記絶縁部材は、周方向に隣接する２つの前記ティースの間に形成されるスロットの径方向の最奥部に対応する部位に設けられる、周方向両側それぞれに向けて該分割コアの周方向端まで延びる第１の周方向延出部を有する第１の絶縁部材と、前記スロットの径方向の最奥部に対応する部位に設けられる、周方向両側それぞれに向けて該分割コアの周方向端を超えて延びる第２の周方向延出部を有する第２の絶縁部材と、の何れかであり、
前記第１の絶縁部材と前記第２の絶縁部材とは、周方向に交互に配置され、
前記絶縁部材は、互いに周方向に隣接する、前記第１の絶縁部材の前記第１の周方向延出部と前記第２の絶縁部材の前記第２の周方向延出部とが径方向に重なるように配置されると共に、
互いに周方向に隣接する前記絶縁部材同士を、前記第２の絶縁部材の前記第２の周方向延出部が前記第１の絶縁部材の前記第１の周方向延出部よりも前記スロットの径方向の最奥部のコア表面に対して径方向遠方側に位置するように組み付けることを特徴とするステータの組付方法。
【請求項１１】
前記第２の絶縁部材を組み付けた後に前記第１の絶縁部材を組み付けることを特徴とする請求項１０記載のステータの組付方法。
【発明の詳細な説明】
【技術分野】
【０００１】
本発明は、ステータコアの絶縁構造及びステータの組付方法に係り、特に、環状に形成されるヨークと、該ヨークから径方向に向けて突出する複数のティースと、を有する、周方向に複数の分割コアに分割されるステータコアの、ステータコイルに対する絶縁性を確保するための絶縁構造、及び、そのステータコアと、分割コアごとに設けられる、そのステータコアの絶縁性を確保する絶縁部材と、を備えるステータの組付方法に関する。
【背景技術】
【０００２】
従来、ステータが備えるステータコアとステータコイルとの絶縁性を確保するための絶縁構造が知られている（例えば、特許文献１参照）。ステータコアは、環状に形成されるヨークと、そのヨークから径方向内側に向けて突出するティースと、を有している。上記の絶縁構造は、ステータコアのティースの周りを囲むと共に、ヨークの径方向内側面（具体的には、周方向に隣接する２つのティースの間に形成されるスロットの径方向の最奥部に対応する部位）に当接する絶縁部材を備えている。絶縁部材は、薄膜の絶縁層を形成することが可能な紙や樹脂などにより構成されている。
【先行技術文献】
【特許文献】
【０００３】
【特許文献１】特開２０１０−２００４９２号公報
【発明の概要】
【発明が解決しようとする課題】
【０００４】
ところで、ステータコアとしては、周方向に複数の分割コアに分割されるものがある。このように周方向に複数の分割コアに分割されるステータコアでは、分割コアごとに絶縁部材が設けられることが一般的であるので、絶縁部材は周方向に複数設けられる。この場合、絶縁部材は、周方向両側それぞれに向けて分割コアの周方向端まで延びる周方向延出部を有する。
【０００５】
しかし、上記の構造を有する絶縁部材が周方向に隣接して配置される絶縁構造では、互いに周方向に隣接する絶縁部材同士の合わせ面近傍でステータコアとステータコイルとの沿面距離（すなわち、ステータコアとステータコイルとの間の、絶縁部材の表面に沿った最短距離）が小さいので、その結果として、両者の絶縁性が低下するおそれがある。
【０００６】
本発明は、上述の点に鑑みてなされたものであり、互いに周方向に隣接する絶縁部材同士の合わせ面近傍での絶縁性を確保することが可能なステータコアの絶縁構造及びステータの組付方法を提供することを目的とする。
【課題を解決するための手段】
【０００７】
上記の目的は、環状に形成されるヨークと、該ヨークから径方向に向けて突出する複数のティースと、を有する、周方向に複数の分割コアに分割されるステータコアの絶縁構造であって、周方向に隣接する２つの前記ティースの間に形成されるスロットの径方向の最奥部に、絶縁部材が径方向に重なる部位を設けたステータコアの絶縁構造により達成される。
【０００８】
上記の目的は、環状に形成されるヨークと、該ヨークから径方向に向けて突出する複数のティースと、を有する、周方向に複数の分割コアに分割されるステータコアと、前記分割コアごとに設けられる、ステータコイルに対する前記ステータコアの絶縁性を確保する絶縁部材と、を備えるステータの組付方法であって、すべての前記絶縁部材はそれぞれ、周方向に隣接する２つの前記ティースの間に形成されるスロットの径方向の最奥部に対応する部位に設けられる、周方向一方側に向けて該分割コアの周方向端まで延びる第１の周方向延出部と、周方向他方側に向けて該分割コアの周方向端を超えて延びる第２の周方向延出部と、を有し、各絶縁部材はそれぞれ、前記第１の周方向延出部が周方向一方側に隣接する前記絶縁部材の前記第２の周方向延出部と径方向に重なり、かつ、前記第２の周方向延出部が周方向他方側に隣接する前記絶縁部材の前記第１の周方向延出部と径方向に重なるように配置されると共に、互いに周方向に隣接する前記絶縁部材同士を、一方の前記絶縁部材の前記第２の周方向延出部が他方の前記絶縁部材の前記第１の周方向延出部よりも前記スロットの径方向の最奥部のコア表面に対して径方向遠方側に位置するように組み付けるステータの組付方法により達成される。
【０００９】
また、上記の目的は、環状に形成されるヨークと、該ヨークから径方向に向けて突出する複数のティースと、を有する、周方向に複数の分割コアに分割されるステータコアと、前記分割コアごとに設けられる、ステータコイルに対する前記ステータコアの絶縁性を確保する絶縁部材と、を備えるステータの組付方法であって、前記絶縁部材は、周方向に隣接する２つの前記ティースの間に形成されるスロットの径方向の最奥部に対応する部位に設けられる、周方向両側それぞれに向けて該分割コアの周方向端まで延びる第１の周方向延出部を有する第１の絶縁部材と、前記スロットの径方向の最奥部に対応する部位に設けられる、周方向両側それぞれに向けて該分割コアの周方向端を超えて延びる第２の周方向延出部を有する第２の絶縁部材と、の何れかであり、前記第１の絶縁部材と前記第２の絶縁部材とは、周方向に交互に配置され、前記絶縁部材は、互いに周方向に隣接する、前記第１の絶縁部材の前記第１の周方向延出部と前記第２の絶縁部材の前記第２の周方向延出部とが径方向に重なるように配置されると共に、互いに周方向に隣接する前記絶縁部材同士を、前記第２の絶縁部材の前記第２の周方向延出部が前記第１の絶縁部材の前記第１の周方向延出部よりも前記スロットの径方向の最奥部のコア表面に対して径方向遠方側に位置するように組み付けるステータの組付方法により達成される。
【発明の効果】
【００１０】
本発明によれば、互いに周方向に隣接する絶縁部材同士の合わせ面近傍での絶縁性を確保することができる。
【図面の簡単な説明】
【００１１】
【図１】本発明の第１実施例であるステータの要部斜視図である。
【図２】本実施例のステータコアの絶縁構造が備える絶縁部材付き分割コアの斜視図である。
【図３】本実施例のステータコアを構成する分割コアの構成図である。
【図４】本実施例のステータコアの絶縁構造が備える絶縁部材の構成図である。
【図５】本実施例のステータコアの絶縁構造が備える絶縁部材の要部断面図である。
【図６】本実施例のステータコアの絶縁構造が備える絶縁部材付き分割コアをステータコイルに組み付ける際の工程を表した図である。
【図７】本実施例のステータコアの絶縁構造が備える絶縁部材付き分割コアの、ステータコイルへの組み付け直前の構成図である。
【図８】本実施例のステータコアの絶縁構造が備える絶縁部材付き分割コアの、ステータコイルへの組み付け後の構成図である。
【図９】本発明の第２実施例であるステータコアの絶縁構造が備える第１の絶縁部材の構成図である。
【図１０】本実施例のステータコアの絶縁構造が備える第２の絶縁部材の構成図である。
【図１１】本実施例のステータコアの絶縁構造が備える絶縁部材付き分割コアの、ステータコイルへの組み付け直前の構成図である。
【図１２】本実施例のステータコアの絶縁構造が備える第１の絶縁部材を組み付けた後の構成図である。
【図１３】本実施例のステータコアの絶縁構造が備える第２の絶縁部材を組み付けた後の構成図である。
【発明を実施するための形態】
【００１２】
以下、図面を用いて、本発明に係るステータコアの絶縁構造及びステータの組付方法の具体的な実施の形態について説明する。
【実施例１】
【００１３】
図１は、本発明の第１実施例であるステータ１０の要部斜視図を示す。図２は、本実施例のステータコア１２の絶縁構造が備える絶縁部材付き分割コアの斜視図を示す。尚、図２（Ａ）には径方向内側から見た図を、また、図２（Ｂ）には径方向外側から見た図を、それぞれ示す。図３は、本実施例のステータコア１２を構成する分割コアの構成図を示す。図４は、本実施例のステータコア１２の絶縁構造が備える絶縁部材の構成図を示す。尚、図３（Ａ）及び図４（Ａ）には径方向内側から見た図を、図３（Ｂ）及び図４（Ｂ）には径方向外側から見た図を、図３（Ｃ）及び図４（Ｃ）には同図（Ａ）における矢視IIIで見た図を、図３（Ｄ）及び図４（Ｄ）には同図（Ａ）における矢視IVで見た図を、また、図３（Ｅ）及び図４（Ｅ）には同図（Ａ）における矢視Vで見た図を、それぞれ示す。更に、図５は、本実施例のステータコア１２の絶縁構造が備える絶縁部材の要部断面図を示す。
【００１４】
本実施例において、ステータ１０は、例えば三相交流モータなどの回転電機に用いられる固定子である。ステータ１０は、回転子であるロータに対して径方向外側に所定のエアギャップを介して配置されており、通電によってロータを回転させる磁界を発生する。ステータ１０は、ロータが回転可能に支持されるケースにボルト固定される。
【００１５】
ステータ１０は、ステータコア１２と、ステータコイル１４と、を備えている。ステータコア１２は、中空円筒状に形成された部材であって、絶縁コーティングされた複数の電磁鋼板を軸方向に積層して形成されている。尚、ステータコア１２の径方向外側面には、絶縁コーティングされた軟磁性体粉末を圧縮成型した材料で形成された円筒状のヨークが取り付けられてもよい。
【００１６】
ステータコア１２は、円環状に形成されるヨーク１６と、ヨーク１６の径方向内側面から径方向内側（軸中心側）に向けて突出するティース１８と、を有している。ティース１８は、ステータ軸方向に延在する歯状部材である。ティース１８は、ヨーク１６の径方向内側面において周方向に複数（例えば、図１に示す如く９６個）設けられており、周方向に沿って等間隔で設けられている。周方向に隣接する２つのティース１８の間には、スロット２０が形成されている。
【００１７】
各ティース１８にはそれぞれ、上記のステータコイル１４が巻回される。ステータコイル１４は、断面が矩形状に形成された平角線で構成されている。尚、ステータコイル１４は、平角線に代えて、断面が円形状に形成されたものであってもよい。ステータコイル１４は、ステータコア１２の径方向内側において周方向に複数設けられている。各ステータコイル１４はそれぞれ、ステータコア１２のスロット２０を軸方向に貫くように延びている。ステータコイル１４は、ステータコア１２の軸方向両端部から軸方向外側に向けて突出するコイルエンド部２２，２４を有している。
【００１８】
各ステータコイル１４はそれぞれ、回転電機が例えば三相交流モータに適用される場合は、Ｕ相コイル、Ｖ相コイル、及びＷ相コイルの何れかを構成する。この場合、ステータコイル１４であるＵ相コイル、Ｖ相コイル、及びＷ相コイルは、周方向にその順でティース１８に巻回される。
【００１９】
ステータコア１２は、周方向に分割される複数（例えば、図１に示す如く４８個）の分割コア３０からなる。すなわち、ステータコア１２は、周方向に複数の分割コア３０に分割されている。各分割コア３０はそれぞれ、絶縁コーティングされた複数の電磁鋼板を軸方向に積層して形成されている。すべての分割コア３０は、互いに同じ形状を有しており、具体的には、互いに同じ周方向角度分のヨーク１６−１と、２つのティース１８−１，１８−２と、を含む形状を有している。
【００２０】
各分割コア３０それぞれのヨーク１６−１は、その分割コア３０に含まれる２つのティース１８−１，１８−２それぞれの周方向外側にあるスロット２０の径方向の最奥部に対応する部位（すなわち、径方向内側の、スロット２０に対向する面（以下、スロット面と称す。））３２，３４の周方向略中央で切断されるように形成されている。以下、分割コア３０のヨーク１６−１の周方向に向く切断面を分割面３６と称す。尚、各分割コア３０はそれぞれ、上記のスロット面３２，３４以外に、その分割コア３０に含まれる２つのティース１８−１，１８−２の間に切断が施されないスロット面３８を有する。
【００２１】
各分割コア３０はそれぞれ、その分割コア３０に含まれる２つのティース１８−１，１８−２のうち、周方向一方側（各図において左周り側）のティース１８−１の根元から周方向一方側に向けて延びる第１のコア周方向延出部４０と、周方向他方側（各図において右周り側）のティース１８−２の根元から周方向他方側に向けて延びる第１のコア周方向延出部４２と、を有している。分割コア３０において、第１のコア周方向延出部４０及び第２のコア周方向延出部４２はそれぞれ、軸方向にわたって略同じ周方向の幅を有するように形成されている。また、第１のコア周方向延出部４０と第２のコア周方向延出部４２とは、互いに略同じ周方向の幅を有するように形成されている。
【００２２】
ステータ１０は、また、ステータコア１２とステータコイル１４との絶縁性を確保する絶縁部材４４を備えている。絶縁部材４４は、ステータコア１２の有する分割コア３０ごとに設けられている。すなわち、絶縁部材４４は、分割コア３０の数と同数だけ設けられている。絶縁部材４４は、紙や樹脂（例えば、熱硬化性樹脂や熱可塑性樹脂など）などにより構成されており、分割コア３０とステータコイル１４との間に薄膜の絶縁層を形成する。絶縁部材４４は、ステータコイル１４に対する分割コア３０の絶縁性を確保するためのインシュレータであって、かかる機能を実現するための形状を有している。
【００２３】
尚、絶縁部材４４は、分割コア３０と別体に成形されるものであってもよいし、また、分割コア３０を成形型内に収容したうえで絶縁素材樹脂等を射出成形することなどによって分割コア３０と一体成形されるものであってもよい。
【００２４】
すべての絶縁部材４４は、同じ形状を有している。各絶縁部材４４はそれぞれ、分割コア３０の形状に合致した形状を有している。すなわち、各絶縁部材４４はそれぞれ、ヨーク１６−１のスロット面３２，３４，３８に対応するスロット部４６と、ティース１８−１，１８−２に対応するティース部４８と、を有している。スロット部４６とティース部４８とは、一体成形されている。
【００２５】
スロット部４６は、ヨーク１６−１のスロット面３２，３４，３８と径方向で対向するように形成された部位である。また、ティース部４８は、分割コア３０のティース１８−１，１８−２の形状に合わせてそのティース１８−１，１８−２を囲むように形成された部位である。尚、ティース部４８の径方向先端の、径方向内側（軸中心側）に向いた面に、開口する開口面を設けることとしてもよい。
【００２６】
スロット部４６は、スロット面３２，３４，３８と径方向に対向する対向部位以外に、かかる対向部位からヨーク１６−１の軸方向端面よりも軸方向外側へ向けて延びると共に、そのヨーク１６の軸方向端面の径方向外側へ向けて湾曲する湾曲部５０を有している。湾曲部５０は、軸方向両側に設けられている。湾曲部５０は、ヨーク１６−１の軸方向端面と径方向内側面との接続部近傍での沿面距離を確保するために設けられる。
【００２７】
また、ティース部４８は、ティース１８−１，１８−２の周方向に向いた面と周方向に対向する対向部位以外に、かかる対向部位からティース１８の軸方向端面よりも軸方向外側へ向けて延びると共に、そのティース１８の軸方向端面の周方向内側へ向けて湾曲する湾曲部５２を有している。湾曲部５２は、軸方向両側に設けられている。湾曲部５２は、ティース１８の軸方向端面近傍での沿面距離を確保するために設けられる。
【００２８】
スロット部４６は、また、第１の絶縁周方向延出部５４と、第２の絶縁周方向延出部５６と、を有している。第１及び第２の絶縁周方向延出部５４，５６は、分割コア３０に含まれる２つのティース１８−１，１８−２それぞれに対応するティース部４８との接続部（すなわち、ティース１８の根元側）から周方向外側に向けて延びている。
【００２９】
第１の絶縁周方向延出部５４は、分割コア３０に含まれる２つのティース１８のうち周方向一方側のティース１８−１に対応するティース部４８との接続部から周方向一方側に向けて延び、ヨーク１６−１のスロット面３２（すなわち、分割コア３０の第１のコア周方向延出部４０）と径方向に対向する。第１の絶縁周方向延出部５４は、ティース１８−１に対応するティース部４８との接続部から周方向一方側に向けて分割コア３０のヨーク１６−１の周方向端まで延びている。
【００３０】
また、第２の絶縁周方向延出部５６は、分割コア３０に含まれる２つのティース１８のうち周方向他方側のティース１８−２に対応するティース部４８との接続部から周方向他方側に向けて延び、ヨーク１６−１のスロット面３４（すなわち、分割コア３０の第２のコア周方向延出部４２）と径方向に対向する。第２の絶縁周方向延出部５６は、ティース１８−２に対応するティース部４８との接続部から周方向他方側に向けて分割コア３０のヨーク１６−１の周方向端を超えて延びている。
【００３１】
すなわち、絶縁部材４４の第１の絶縁周方向延出部５４は、ティース１８−１に対応するティース部４８との接続部から、分割コア３０の第１のコア周方向延出部４０の周方向端に対して同じ周方向位置まで周方向一方側に向けて延びている。また、絶縁部材４４の第２の絶縁周方向延出部５６は、ティース１８−２に対応するティース部４８との接続部から、分割コア３０の第２のコア周方向延出部４２の周方向端よりも更に周方向他方側の位置まで周方向他方側に向けて延びている。
【００３２】
絶縁部材４４において、第１の絶縁周方向延出部５４の周方向の幅は、分割コア３０の第１のコア周方向延出部４０の周方向の幅と略一致している一方、第２の絶縁周方向延出部５６の周方向の幅は、分割コア３０の第２のコア周方向延出部４２の周方向の幅よりも大きい。上記の如く、分割コア３０の第１のコア周方向延出部４０と第２のコア周方向延出部４２とは、互いに略同じ周方向の幅を有している。このため、絶縁部材４４の第２の絶縁周方向延出部５６の周方向の幅は、第１の絶縁周方向延出部５４の周方向の幅よりも大きい。
【００３３】
上記した絶縁部材４４の構造においては、ステータコア１２を構成する各分割コア３０それぞれに絶縁部材４４が装着された状態でそれら複数の分割コア３０が組み付けられて周方向に配置された場合、図５に示す如く、ステータコア１２の周方向に存在するすべてのスロット２０のうち、周方向に隣接する２つの分割コア３０ａ，３０ｂが分割面３６同士を接触させて周方向に対向するスロット２０の径方向の最奥部に、それらの周方向に隣接する２つの分割コア３０ａ，３０ｂに装着される絶縁部材４４ａ，４４ｂ同士が径方向に重なる部位が形成される。
【００３４】
すなわち、一つの分割コア３０に着目した場合、各分割コア３０の絶縁部材４４はそれぞれ、第１の絶縁周方向延出部５４が、自絶縁部材４４に対して周方向一方側に隣接する絶縁部材４４の第２の絶縁周方向延出部５６と径方向に重なり、かつ、第２の絶縁周方向延出部５６が、自絶縁部材４４に対して周方向他方側に隣接する絶縁部材４４の第１の絶縁周方向延出部５４と径方向に重なるように配置される。
【００３５】
ここで、周方向に隣接する２つの分割コア３０ａ，３０ｂが分割面３６同士を接触させてそれら両分割コア３０ａ，３０ｂのティース１８が周方向に隣接する間のスロット２０について径方向の最奥部に形成される絶縁構造（対比絶縁構造）が、両分割コア３０ａ，３０ｂの絶縁部材４４同士が径方向に全く重ならないものであると、その絶縁部材４４同士の合わせ面近傍でステータコア１２とステータコイル１４との沿面距離が最短となり、両者の絶縁性を確保することが困難となるおそれがある。
【００３６】
これに対して、本実施例の如く、かかるスロット２０の径方向の最奥部に形成される絶縁構造が、絶縁部材４４ａ，４４ｂが径方向に重なるものであると、上記の対比絶縁構造に比べて、その絶縁部材４４ａ，４４ｂの重なり分だけステータコア１２とステータコイル１４との沿面距離を長くすることができる。従って、本実施例のステータコア１２の絶縁構造によれば、すべてのスロット２０のうち、周方向に隣接する２つの分割コア３０ａ，３０ｂが分割面３６同士を接触させて周方向に臨むスロット２０の径方向の最奥部近傍、すなわち、互いに周方向に隣接する絶縁部材４４同士の合わせ面近傍での、ステータコア１２とステータコイル１４との絶縁性を確保することができる。
【００３７】
以下、図６〜図８を参照して、本実施例のステータ１０の組付け手法、具体的には、ステータコイル１４に対するステータコア１２の組付け手法について説明する。
【００３８】
図６は、本実施例のステータコア１２の絶縁構造が備える絶縁部材付き分割コアをステータコイル１４に組み付ける際の工程を表した図を示す。図７は、本実施例のステータコア１２の絶縁構造が備える絶縁部材付き分割コアの、ステータコイル１４への組み付け直前の構成図を示す。また、図８は、本実施例のステータコア１２の絶縁構造が備える絶縁部材付き分割コアの、ステータコイル１４への組み付け後の構成図を示す。尚、図７（Ａ）及び図８（Ａ）には径方向内側から見た図を、図７（Ｂ）及び図８（Ｂ）には同図（Ａ）における矢視IIIで見た図を、図７（Ｃ）及び図８（Ｃ）には同図（Ａ）における矢視IVで見た図を、また、図７（Ｄ）及び図８（Ｄ）には同図（Ａ）における矢視Vで見た図を、それぞれ示す。
【００３９】
本実施例においては、まず、ステータコイル１４が周方向に並んで複数配置された環状のコイルアッシー６０を準備する（図６（Ａ））。このコイルアッシー６０には、ステータコア１２のスロット２０に配置されるステータコイル１４の直線部が形成されると共に、ステータコア１２のティース１８を挿入可能な径方向に貫通する貫通孔６２が形成される。そして、ステータコア１２を構成する各分割コア３０それぞれに絶縁部材４４を装着したうえで、それら絶縁部材４４が装着されたすべての分割コア３０を上記のコイルアッシー６０に対して径方向外側に配置する（図６（Ｂ）及び図７）。
【００４０】
次に、分割コア３０及びその分割コア３０に装着された絶縁部材４４を、その絶縁部材４４の第１の絶縁周方向延出部５４が、その分割コア３０と周方向一方側に隣接する分割コア３０の絶縁部材４４の第２の絶縁周方向延出部５６と径方向に重なり、かつ、その絶縁部材４４の第２の絶縁周方向延出部５６が、その分割コア３０と周方向他方側に隣接する分割コア３０の絶縁部材４４の第１の絶縁周方向延出部５４と径方向に重なるように、コイルアッシー６０に対して組み付ける。
【００４１】
具体的には、互いに周方向に隣接する２つの分割コア３０及び絶縁部材４４を、それらの分割コア３０間で絶縁部材４４の第２の絶縁周方向延出部５６が径方向に重なる周方向一方側の分割コア３０ａ側の、絶縁部材４４ａの第２の絶縁周方向延出部５６が径方向内側に位置し、かつ、それらの分割コア３０間で絶縁部材４４の第１の絶縁周方向延出部５４が径方向に重なる周方向他方側の分割コア３０ｂ側の、絶縁部材４４ｂの第１の絶縁周方向延出部５４が径方向外側に位置するように、コイルアッシー６０に対して組み付ける（図５及び図８）。
【００４２】
すなわち、互いに周方向に隣接する２つの分割コア３０及び絶縁部材４４を、周方向一方側の分割コア３０ａ側の第２の絶縁周方向延出部５６が周方向他方側の分割コア３０ｂ側の第１の絶縁周方向延出部５４よりもスロット面３２，３４に対して径方向内側（径方向遠方側）に位置するようにコイルアッシー６０に対して組み付ける。
【００４３】
上記の組み付けは、ステータコア１２を構成するすべての分割コア３０及びすべての絶縁部材４４がコイルアッシー６０に対して所望位置に同時に組み付けられることにより、具体的には、すべての分割コア３０及びすべての絶縁部材４４がコイルアッシー６０での所望位置よりも径方向外側で環状に組み合わされた後、ティース１８がコイルアッシー６０の貫通孔６２に挿入されるように径方向内側へ向けて同時に移動させることにより実現される。
【００４４】
上記の組付け手法によれば、ステータコイル１４に対する分割コア３０の組み付け時に、分割コア３０や絶縁部材４４が干渉すること、例えば、分割コア３０ａの絶縁部材４４ａの第２の絶縁周方向延出部５６が分割コア３０ｂのヨーク１６−１の径方向外側面に干渉するのを防止することができる。従って、本実施例によれば、スロット２０の径方向の最奥部に形成される、互いに周方向に隣接する絶縁部材４４同士が径方向に重なる絶縁構造を適切に製造することが可能である。
【００４５】
尚、上記の第１実施例においては、第１の絶縁周方向延出部５４が特許請求の範囲に記載した「第１の周方向延出部」に、第２の絶縁周方向延出部５６が特許請求の範囲に記載した「第２の周方向延出部」に、それぞれ相当している。
【００４６】
ところで、上記の第１実施例においては、分割コア３０の第１のコア周方向延出部４０と第２のコア周方向延出部４２とが互いに略同じ周方向の幅を有するように形成されているが、本発明はこれに限定されるものではなく、第１のコア周方向延出部４０と第２のコア周方向延出部４２とが互いに異なる周方向の幅を有するように形成されていてもよい。
【００４７】
尚、この変形例においても、絶縁部材４４の、第１の絶縁周方向延出部５４を分割コア３０のヨーク１６−１（すなわち、第１のコア周方向延出部４０）の周方向端まで延ばし、かつ、第２の絶縁周方向延出部５６を分割コア３０のヨーク１６−１（すなわち、第２のコア周方向延出部４２）の周方向端を超えて延ばすこととすればよい。
【００４８】
また、上記の第１実施例においては、すべての分割コア３０が互いに同じ形状を有し、スロット２０の径方向の最奥部に、周方向に隣接する２つの分割コア３０ａ，３０ｂに装着される絶縁部材４４ａ，４４ｂ同士が径方向に重なる部位が形成される。この構造において、絶縁部材４４ａの、分割コア３０のヨーク１６−１の周方向端を超えて延びる第２の絶縁周方向延出部５６は、周方向に向けて直線的に延びるように形成されることとしてもよいし、また、図５に示す如く、軸方向から見て階段状に延びるように形成されることとしてもよい。
【００４９】
また、すべての分割コア３０が互いに同じ形状を有することに代えて、分割コア３０ａ及び分割コア３０ｂが互いに異なる形状を有することとしてもよい。具体的には、分割コア３０ａの第２のコア周方向延出部４２の径方向内側面の径方向位置と分割コア３０ｂの第１のコア周方向延出部４０の径方向内側面の径方向位置とを互いに異ならせることとしてもよい。かかる変形例の構造においては、絶縁部材４４ｂの、分割コア３０のヨーク１６−１の周方向端まで延びる第１の絶縁周方向延出部５４を、周方向一方側に向けて直線的に延びるように形成しつつ、絶縁部材４４ａの、分割コア３０のヨーク１６−１の周方向端を超えて延びる第２の絶縁周方向延出部５６を、周方向他方側に向けて直線的に延びるように形成することとすればよい。
【実施例２】
【００５０】
上記した第１実施例では、分割コア３０ごとに設けられるすべての絶縁部材４４が同じ形状を有するものとしている。これに対して、本発明の第２実施例においては、分割コア３０ごとに設けられる絶縁部材が２種類の形状を有するものとしている。
【００５１】
図９は、本実施例のステータコア１２の絶縁構造が備える第１の絶縁部材の構成図を示す。また、図１０は、本実施例のステータコア１２の絶縁構造が備える第２の絶縁部材の構成図を示す。尚、図９及び図１０において、上記図４に示す構成と同一の構成部分については、同一の符号を付してその説明を省略又は簡略する。また、図９（Ａ）及び図１０（Ａ）には径方向内側から見た図を、図９（Ｂ）及び図１０（Ｂ）には径方向外側から見た図を、図９（Ｃ）及び図１０（Ｃ）には同図（Ａ）における矢視IIIで見た図を、図９（Ｄ）及び図１０（Ｄ）には同図（Ａ）における矢視IVで見た図を、また、図９（Ｅ）及び図１０（Ｅ）には同図（Ａ）における矢視Vで見た図を、それぞれ示す。
【００５２】
本実施例において、ステータ１０は、ステータコア１２とステータコイル１４との絶縁性を確保する絶縁部材１００を備えている。絶縁部材１００は、ステータコア１２の有する分割コア３０ごとに設けられており、分割コア３０の数と同数だけ設けられている。絶縁部材１００は、上記第１実施例の絶縁部材４４と同様に、紙や樹脂（例えば、熱硬化性樹脂や熱可塑性樹脂など）などにより構成されており、分割コア３０とステータコイル１４との間に薄膜の絶縁層を形成する。絶縁部材１００は、ステータコイル１４に対する分割コア３０の絶縁性を確保するためのインシュレータであって、かかる機能を実現するための形状を有している。
【００５３】
絶縁部材１００は、種類が異なる第１の絶縁部材１０２と第２の絶縁部材１０４との何れかである。第１及び第２の絶縁部材１０２，１０４はそれぞれ、分割コア３０の形状に合致した形状を有している。第１及び第２の絶縁部材１０２，１０４はそれぞれ、一体成形されたスロット部４６とティース部４８とを有している。
【００５４】
第１の絶縁部材１０２のスロット部４６は、分割コア３０に含まれる２つのティース１８−１，１８−２それぞれに対応するティース部４８との接続部（すなわち、ティース１８の根元側）から周方向外側に向けて延びる第１及び第２の絶縁周方向延出部１０６，１０８を有している。また、第２の絶縁部材１０４のスロット部４６は、分割コア３０に含まれる２つのティース１８−１，１８−２それぞれに対応するティース部４８との接続部（すなわち、ティース１８の根元側）から周方向外側に向けて延びる第３及び第４の絶縁周方向延出部１１０，１１２を有している。
【００５５】
第１の絶縁部材１０２において、第１の絶縁周方向延出部１０６は、分割コア３０に含まれる２つのティース１８のうち周方向一方側のティース１８−１に対応するティース部４８との接続部から周方向一方側に向けて延び、ヨーク１６−１のスロット面３２（すなわち、分割コア３０の第１のコア周方向延出部４０）と径方向に対向する。第１の絶縁周方向延出部１０６は、ティース１８−１に対応するティース部４８との接続部から周方向一方側に向けて分割コア３０のヨーク１６−１の周方向端まで延びている。
【００５６】
第１の絶縁部材１０２において、第２の絶縁周方向延出部１０８は、分割コア３０に含まれる２つのティース１８のうち周方向他方側のティース１８−２に対応するティース部４８との接続部から周方向他方側に向けて延び、ヨーク１６−１のスロット面３４（すなわち、分割コア３０の第２のコア周方向延出部４２）と径方向に対向する。第２の絶縁周方向延出部１０８は、ティース１８−２に対応するティース部４８との接続部から周方向他方側に向けて分割コア３０のヨーク１６−１の周方向端まで延びている。
【００５７】
第２の絶縁部材１０４において、第３の絶縁周方向延出部１１０は、分割コア３０に含まれる２つのティース１８のうち周方向一方側のティース１８−１に対応するティース部４８との接続部から周方向一方側に向けて延び、ヨーク１６−１のスロット面３２（すなわち、分割コア３０の第１のコア周方向延出部４０）と径方向に対向する。第３の絶縁周方向延出部１１０は、ティース１８−１に対応するティース部４８との接続部から周方向一方側に向けて分割コア３０のヨーク１６−１の周方向端を超えて延びている。
【００５８】
また、第２の絶縁部材１０４において、第４の絶縁周方向延出部１１２は、分割コア３０に含まれる２つのティース１８のうち周方向他方側のティース１８−２に対応するティース部４８との接続部から周方向他方側に向けて延び、ヨーク１６−１のスロット面３４（すなわち、分割コア３０の第２のコア周方向延出部４２）と径方向に対向する。第４の絶縁周方向延出部１１２は、ティース１８−２に対応するティース部４８との接続部から周方向他方側に向けて分割コア３０のヨーク１６−１の周方向端を超えて延びている。
【００５９】
すなわち、第１の絶縁部材１０２の第１及び第２の絶縁周方向延出部１０６，１０８は共に、ティース１８に対応するティース部４８との接続部から、分割コア３０の第１又は第２のコア周方向延出部４０，４２の周方向端に対して同じ周方向位置まで周方向外側に向けて延びている。また、第２の絶縁部材１０４の第３及び第４の絶縁周方向延出部１１０，１１２は共に、ティース１８に対応するティース部４８との接続部から、分割コア３０の第１又は第２のコア周方向延出部４０，４２の周方向端よりも更に周方向外側の位置まで周方向外側に向けて延びている。
【００６０】
第１の絶縁部材１０２において、第１の絶縁周方向延出部１０６の周方向の幅は、分割コア３０の第１のコア周方向延出部４０の周方向の幅と略一致していると共に、第２の絶縁周方向延出部１０８の周方向の幅は、分割コア３０の第２のコア周方向延出部４２の周方向の幅と略一致している。上記の如く、分割コア３０の第１のコア周方向延出部４０と第２のコア周方向延出部４２とは、互いに略同じ周方向の幅を有している。このため、第１の絶縁部材１０２の第１の絶縁周方向延出部１０６の周方向の幅と第２の絶縁周方向延出部１０８の周方向の幅とは略一致している。
【００６１】
また、第２の絶縁部材１０４において、第３の絶縁周方向延出部１１０の周方向の幅は、分割コア３０の第１のコア周方向延出部４０の周方向の幅よりも大きく、かつ、第４の絶縁周方向延出部１１２の周方向の幅は、分割コア３０の第２のコア周方向延出部４２の周方向の幅よりも大きい。上記の如く、分割コア３０の第１のコア周方向延出部４０と第２のコア周方向延出部４２とは、互いに略同じ周方向の幅を有している。このため、第２の絶縁部材１０４の第３の絶縁周方向延出部１１０の周方向の幅と第４の絶縁周方向延出部１１２の周方向の幅とは略一致している。
【００６２】
本実施例において、第１の絶縁部材１０２と第２の絶縁部材１０４とは、絶縁部材１００として周方向に交互に配置される。かかる構造においては、ステータコア１２を構成する各分割コア３０それぞれに第１又は第２の絶縁部材１０２，１０４が装着された状態でそれら複数の分割コア３０が組み付けられて周方向に配置された場合、ステータコア１２の周方向に存在するすべてのスロット２０のうち、周方向に隣接する２つの分割コア３０が分割面３６同士を接触させて周方向に対向するスロット２０の径方向の最奥部に、それらの周方向に隣接する２つの分割コア３０に装着される第１の絶縁部材１０２と第２の絶縁部材１０４とが径方向に重なる部位が形成される。
【００６３】
すなわち、絶縁部材１００は、互いに周方向に隣接する、第１の絶縁部材１０２の第１及び第２の絶縁周方向延出部１０６，１０８と第２の絶縁部材１０４の第３及び第４の絶縁周方向延出部１１０，１１２とが径方向に重なるように、配置される。かかる絶縁構造によれば、第１の絶縁部材１０２と第２の絶縁部材１０４との重なり分だけステータコア１２とステータコイル１４との沿面距離を長くすることができる。従って、本実施例のステータコア１２の絶縁構造によれば、すべてのスロット２０のうち、周方向に隣接する２つの分割コア３０が分割面３６同士を接触させて周方向に対向するスロット２０の径方向の最奥部近傍、すなわち、互いに周方向に隣接する第１の絶縁部材１０２と第２の絶縁部材１０４との合わせ面近傍での、ステータコア１２とステータコイル１４との絶縁性を確保することができる。
【００６４】
以下、図１１〜図１３を参照して、本実施例のステータ１０の組付け手法、具体的には、ステータコイル１４に対するステータコア１２の組付け手法について説明する。
【００６５】
図１１は、本実施例のステータコア１２の絶縁構造が備える絶縁部材付き分割コアの、ステータコイル１４への組み付け直前の構成図を示す。図１２は、本実施例のステータコア１２の絶縁構造が備える第１の絶縁部材１０２を組み付けた後の構成図を示す。また、図１３は、本実施例のステータコア１２の絶縁構造が備える第２の絶縁部材１０４を組み付けた後の構成図を示す。尚、図１１（Ａ）、図１２（Ａ）、及び図１３（Ａ）には斜視図を、また、図１１（Ｂ）、図１２（Ｂ）、及び図１３（Ｂ）には上面図を、それぞれ示す。
【００６６】
本実施例においては、まず、ステータコイル１４が周方向に並んで複数配置された環状のコイルアッシー６０を準備する。そして、ステータコア１２を構成する各分割コア３０それぞれに絶縁部材１００（第１又は第２の絶縁部材１０２，１０４）を装着したうえで、それら絶縁部材１００が装着されたすべての分割コア３０を上記のコイルアッシー６０に対して径方向外側に配置する（図１１）。
【００６７】
次に、分割コア３０及びその分割コア３０に装着された絶縁部材１００を、第１の絶縁部材１０２の第１の絶縁周方向延出部１０６が、その分割コア３０と周方向一方側に隣接する分割コア３０の第２の絶縁部材１０４の第４の絶縁周方向延出部１１２と径方向に重なり、かつ、第１の絶縁部材１０２の第２の絶縁周方向延出部１０８が、その分割コア３０と周方向他方側に隣接する分割コア３０の第２の絶縁部材１０４の第３の絶縁周方向延出部１１０と径方向に重なるように、すなわち、第１の絶縁部材１０２の第１及び第２の絶縁周方向延出部１０６，１０８と第２の絶縁部材１０４の第３及び第４の絶縁周方向延出部１１０，１１２とが径方向に重なるように、コイルアッシー６０に対して組み付ける。
【００６８】
具体的には、互いに周方向に隣接する２つの分割コア３０及び絶縁部材１００を、第２の絶縁部材１０４が装着された分割コア３０側の第３及び第４の絶縁周方向延出部１１０，１１２が径方向内側に位置し、かつ、第１の絶縁部材１０２が装着された分割コア３０側の第１及び第２の絶縁周方向延出部１０６，１０８が径方向外側に位置するように、コイルアッシー６０に対して組み付ける。すなわち、互いに周方向に隣接する２つの分割コア３０及び絶縁部材１００を、第２の絶縁部材１０４が装着された分割コア３０側の第３及び第４の絶縁周方向延出部１１０，１１２が、第１の絶縁部材１０２が装着された分割コア３０側の第１及び第２の絶縁周方向延出部１０６，１０８よりもスロット面３２，３４に対して径方向内側（径方向遠方側）に位置するようにコイルアッシー６０に対して組み付ける。
【００６９】
上記の組み付けは、ステータコア１２を構成するすべての分割コア３０及びすべての絶縁部材１００のうち、第２の絶縁部材１０４が装着されたすべての分割コア３０側をコイルアッシー６０に対して所望位置に組み付けた後に、第１の絶縁部材１０２が装着されたすべての分割コア３０側をコイルアッシー６０に対して所望位置に組み付けることにより実現される。
【００７０】
上記の組付け手法によれば、ステータコイル１４に対する分割コア３０の組み付け時に、分割コア３０や絶縁部材１００が干渉すること、例えば、第２の絶縁部材１０４の第３及び第４の絶縁周方向延出部１１０，１１２が、第１の絶縁部材１０２が装着された分割コア３０のヨーク１６−１の径方向外側面に干渉するのを防止することができる。従って、本実施例によれば、スロット２０の径方向の最奥部に形成される、互いに周方向に隣接する第１の絶縁部材１０２と第２の絶縁部材１０４とが径方向に重なる絶縁構造を適切に製造することが可能である。
【００７１】
尚、上記の第２実施例においては、第１及び第２の絶縁周方向延出部１０６，１０８が特許請求の範囲に記載した「第１の絶縁部材が有する第１の周方向延出部」に、第３及び第４の絶縁周方向延出部１１０，１１２が特許請求の範囲に記載した「第２の絶縁部材が有する第２の周方向延出部」に、それぞれ相当している。
【００７２】
ところで、上記の第２実施例においても、分割コア３０の第１のコア周方向延出部４０と第２のコア周方向延出部４２とが互いに略同じ周方向の幅を有するように形成されているが、本発明はこれに限定されるものではなく、第１のコア周方向延出部４０と第２のコア周方向延出部４２とが互いに異なる周方向の幅を有するように形成されていてもよい。
【００７３】
尚、この変形例においても、第１の絶縁部材１０２の第１及び第２の絶縁周方向延出部１０６，１０８を分割コア３０のヨーク１６−１（すなわち、第１のコア周方向延出部４０）の周方向端まで延ばし、かつ、第２の絶縁部材１０４の第３及び第４の絶縁周方向延出部１１０，１１２を分割コア３０のヨーク１６−１（すなわち、第２のコア周方向延出部４２）の周方向端を超えて延ばすこととすればよい。
【００７４】
また、上記の第２実施例においては、すべての分割コア３０が互いに同じ形状を有し、スロット２０の径方向の最奥部に、周方向に隣接する２つの分割コア３０に装着される第１及び第２の絶縁部材１０２，１０４同士が径方向に重なる部位が形成される。この構造において、第２の絶縁部材１０４の、分割コア３０のヨーク１６−１の周方向端を超えて延びる第３及び第４の絶縁周方向延出部１１０，１１２は、周方向に向けて直線的に延びるように形成されることとしてもよいし、また、軸方向から見て階段状に延びるように形成されることとしてもよい。
【００７５】
また、すべての分割コア３０が互いに同じ形状を有することに代えて、第１の絶縁部材１０２が装着される分割コア３０と第２の絶縁部材１０４が装着される分割コア３０とが互いに異なる形状を有することとしてもよい。具体的には、第１の絶縁部材１０２が装着される分割コア３０の第１及び第２のコア周方向延出部４０，４２の径方向内側面の径方向位置と、第２の絶縁部材１０４が装着される分割コア３０の第１及び第２のコア周方向延出部４０，４２の径方向内側面の径方向位置と、を互いに異ならせることとしてもよい。かかる変形例の構造においては、第１の絶縁部材１０２の第１及び第２の絶縁周方向延出部１０６，１０８を周方向外側に向けて直線的に延びるように形成しつつ、第２の絶縁部材１０４の第３及び第４の絶縁周方向延出部１１０，１１２を周方向外側に向けて直線的に延びるように形成することとすればよい。
【００７６】
また、上記の第１及び第２実施例においては、分割コア３０の形状が２つのティース１８−１，１８−２を含むものであるが、本発明はこれに限定されるものではなく、分割コア３０の形状が少なくとも一つのティース１８を含むものであればよく、３つ以上のティース１８を含むものであってもよい。この変形例においても、絶縁部材４４，１００の形状は、その分割コア３０の形状に合わせたものとなる。
【００７７】
更に、上記の第１及び第２実施例は、ステータ１０がロータに対して径方向外側に配置されるインナーロータ型の回転電機の例であるが、ステータ１０がロータに対して径方向内側に配置されるアウターロータ型の回転電機の例に適用することも可能である。
【符号の説明】
【００７８】
１０  ステータ
１２  ステータコア
１４  ステータコイル
１６  ヨーク
１８  ティース
２０  スロット
３０  分割コア
３２，３４  スロット面
４０  第１のコア周方向延出部
４２  第２のコア周方向延出部
４４，１００  絶縁部材
４６  スロット部
４８  ティース部
５４，５６，１０６〜１１２  絶縁周方向延出部
１０２  第１の絶縁部材
１０４  第２の絶縁部材
【図１】
2014187856.tif 000003
【図２】
2014187856.tif 000004
【図３】
2014187856.tif 000005
【図４】
2014187856.tif 000006
【図５】
2014187856.tif 000007
【図６】
2014187856.tif 000008
【図７】
2014187856.tif 000009
【図８】
2014187856.tif 000010
【図９】
2014187856.tif 000011
【図１０】
2014187856.tif 000012
【図１１】
2014187856.tif 000013
【図１２】
2014187856.tif 000014
【図１３】
2014187856.tif 000015